(57)【特許請求の範囲】
【請求項１】
中央水膨潤円板の両側に内側介在ゴム円板を配置し、前記内側介在ゴム円板の両側に、それぞれ、ゴム円板の内方側面において円板外周縁からケーブル引込み管挿通孔の縁辺にわたって連続する縁辺突出片を突設した縁辺突出片付きゴム円板パッキンを配置して、前記の縁辺突出片の内側に内側介在ゴム円板の外周縁を当接させ、前記の各縁辺突出片付きゴム円板パッキンの両側にそれぞれ、ガラス繊維補強プラスチック製の扇形締付押え板を配置し、前記両側の扇形締付押え板をボルト、ナットで締め付けることを特徴とする建造物壁のケーブル管引込み孔用止水装置。
【発明の詳細な説明】
【０００１】
【発明の属する技術分野】
本発明は建造物壁のケーブル管引込み孔の止水装置に関するものである。
【０００２】
【発明が解決しようとする課題】
建造物のコンクリート壁を貫通してケーブルを引込む箇所においてはケーブル引込み管がコンクリート壁に設けた孔に挿通されるので、壁孔とケーブル引込み管との間の間隙から雨水等が侵入しないように止水する必要がある。従来ケーブル管路における止水装置は種々の構造の止水栓が用いられているが、建造物のコンクリート壁を貫通するケーブル引込み管と壁孔との間の間隙を止水するには、コンクリート壁に設けた貫通孔の内周面のコンクリート粗面に対し従来の止水栓では、充分に密着させて壁孔内に設置することが容易でなく、完全に止水することは困難であり、装置が大型になり重量が大で取り扱いが不便であった。
【０００３】
また、止水栓のパッキング材に水膨潤材を用い侵入水により膨潤させて孔を塞ぎ止水するようにした止水栓が公知であるが、水が無くなって乾燥状態になると膨潤材が萎縮して孔内面との密着が消失し、止水栓の固定が弛み外れるという問題点がある。
【０００４】
本発明は建造物のコンクリート壁を貫通するケーブル引込み管と壁孔との間の間隙に容易に設置することができ、完全に止水することができ、水が無くなっても装着の弛みや外れが起こらない止水装置を提供することを目的とする。
【０００５】
【課題を解決するための手段】
前記の課題を解決するために、本発明の建造物壁のケーブル管引込み孔用止水装置は、中央水膨潤円板７の両側に内側介在ゴム円板５、６を配置し、この内側介在ゴム円板５、６の両側に、ゴム円板２０の内方側面において円板外周縁２７からケーブル引込み管挿通孔２１、２２、２３の縁辺２９にわたって連続する縁辺突出片２５を突設した縁辺突出片付きゴム円板パッキン３、４を配置し、この縁辺突出片２５の内側に前記内側介在ゴム円板５、６の外周縁３５を当接させ、この縁辺突出片付きゴム円板パッキン３、４の両側にガラス繊維補強プラスチック製の扇形締付押え板１、２を配置し、前記扇形締付押え板１、２と縁辺突出片付きゴム円板パッキン３、４と内側介在ゴム円板５、６と中央水膨潤円板７の各ボルト挿通孔１３、２４、３４、４４にボルト８を挿通しナット９を螺合した構成としたものである。
【０００６】
前記のように構成したケーブル管引込み孔用止水装置を、建造物のコンクリート壁を貫通するケーブル管引込み孔Ａに差し込み、ボルト８、ナット９を螺締すれば、縁辺突出片付きゴム円板パッキン３、４の縁辺突出片２５が内側介在ゴム円板５、６の外周縁３５により半径方向外方に押圧されてケーブル管引込み孔Ａの内周面に密着しケーブル管引込み孔用止水装置が固定される。このケーブル管引込み孔に雨水等が侵入すると、中央水膨潤円板７が水を吸収して膨潤し、その外周縁４７がケーブル管引込み孔の内周面に強く押圧密着するので、ケーブル引込み管と引込み孔Ａとの間の間隙が水密に閉塞され雨水等の侵入が阻止される。
【０００７】
ケーブル管引込み孔Ａ内に水がなくなり中央水膨潤円板７が萎縮してその外周縁４７のケーブル管引込み孔内周面に対する押圧力がなくなっても、縁辺突出片付きゴム円板パッキン３、４の縁辺突出片２５が引込み孔の内周面に当接し固定されているので、ケーブル引込み管止水装置が引込み孔Ａ内の装着位置から外れるおそれはない。
【０００８】
【発明の実施の形態】
以下本発明の建造物壁のケーブル管引込み孔用止水装置の実施の形態を図面により説明する。本発明のケーブル管引込み孔用止水装置は、その１実施形態の正面図の図１と長手方向断面図の図２に示したように、前面側に配置する扇形締付押え板１および後面側に配置する扇形締付押え板２と、この前後面の各扇形締付押え板１、２の内側にそれぞれ配置される縁辺突出片付きゴム円板パッキン３、４と、この各々のゴム円板パッキン３および４の内側に配置される内側介在ゴム円板５、６と、この各内側介在ゴム円板５、６の間に挟まれる中央水膨潤円板７と、これらを貫通して締め付けるボルト８およびナット９により構成される。
【０００９】
前面側に配置する扇形締付押え板１と後面側に配置する扇形締付押え板２は、ガラス繊維補強プラスチック製で、対称形であり、図３に示したように、いずれも、円板を３分割した３枚の扇形板体１０により構成され、前面側の扇形締付押え板１は３枚の扇形板１ａ、１ｂ、１ｃからなり、後面側の扇形締付押え板２は３枚の扇形板２ａ、２ｂ、２ｃからなる。これらの３枚の扇形板の各々の扇形板体１０は、それぞれ、各扇形の両側縁部にケーブル引込み管挿通用の半円形切欠部１１、１１を設け、外周円弧縁１２の中間部と両半円形切欠部１１、１１の間の位置にボルト挿通孔１３を設ける。また一方の扇形締付押え板２の３枚の各扇形板体１０のボルト挿通孔１３の外側面には、図２に示したように、ボルト頭部を嵌入させて回り止めをするボルト頭部嵌入部１４を突設する。前記の扇形締付押え板１、２の３枚の扇形板体１０の外周円により形成される円形の外径は、図２に示したケーブル管引込み孔Ｂの径よりもわずかに小径に形成する。
【００１０】
前記の縁辺突出片付きゴム円板パッキン３、４は、商品名ハイパロン等のゴム製で、ゴム円板パッキン３とゴム円板パッキン４は対称形であり、いずれも図４に示したように、ゴム円板２０の三角形頂点位置にそれぞれケーブル引込み管挿通孔２１、２２、２３を設け、この各孔２１、２２、２３の中間位置にそれぞれボルト挿通孔２４を設ける。この３個の各ケーブル引込み管挿通孔２１、２２、２３にはゴム円板２０の外周縁２７から各孔縁に向けそれぞれ切り割りを入れて切り割り部２６を設ける。また、ゴム円板２０の一方の側面において、ゴム円板２０の外周縁２７および切り割り部２６の縁辺２８および３個の各ケーブル引込み管挿通孔２１、２２、２３の縁辺２９にわたって、連続する縁辺突出片２５を突設する。この縁辺突出片２５は、図２に断面で図示されているように、ゴム円板２０の側面における基部が肉厚で先端程肉薄になるように内周面をテーパー面に形成する。図４におけるｄ１はこの縁辺突出片２５の基部の肉厚箇所を示し、ｄ２は先端部の肉薄部分を誇張して厚くして示す。この縁辺突出片付きゴム円板パッキン３、４の外径は図２に示したケーブル管引込み孔Ｂの径よりもわずかに小径に形成する。
【００１１】
前記の内側介在ゴム円板５、６は、商品名ハイパロン等のゴム製で、対称形であり、いずれも、図５に示したように、ゴム円板３０の三角形頂点位置にそれぞれケーブル引込み管挿通孔３１、３２、３３を設け、この各孔３１、３２、３３の中間位置にそれぞれボルト挿通孔３４を設ける。この各ケーブル引込み管挿通孔３１、３２、３３にはゴム円板３０の外周縁３５から各孔縁に向けそれぞれ切り割りを入れて切り割り間隙部３６を設ける。この内側介在ゴム円板５、６の外径はその外周縁３５が前記縁辺突出片付きゴム円板パッキン３、４の外周縁２７における縁辺突出片２５の内側面に当接するような外径に形成する。図２の断面はこの状態を示している。
【００１２】
前記の１枚の中央水膨潤円板７は、水分を吸収すると膨潤して体積が増大する高吸水性樹脂等の水膨潤材製の円板体からなり、図６に示したように、水膨潤材の円板体４０の三角形頂点位置にそれぞれケーブル引込み管挿通孔４１、４２、４３を設け、この各孔４１、４２、４３の中間位置にそれぞれボルト挿通孔４４を設ける。この各ケーブル引込み管挿通孔４１、４２、４３には円板体４０の外周縁４７から各孔縁に向けそれぞれ切り割りを入れて切り割り部４６を設ける。各ケーブル引込み管挿通孔４１、４２、４３の周囲には、円板体４０の表面に同心円形切り裂き円溝４５のＶ字形凹溝（図７に図示）を設け、ケーブル引込み管径に応じて切り裂いてケーブル引込み管挿通孔の孔径を適合させる。この切り裂き円溝４５は省略してもよい。前記の中央水膨潤円板７の外径は、水を吸収して膨潤した時に、その外周縁４７がケーブル管引込み孔Ｂの内周面に強く押圧密着するような外径に形成する。
【００１３】
前記のように構成した扇形締付押え板１、２と、縁辺突出片付きゴム円板パッキン３、４と、内側介在ゴム円板５、６と、１枚の中央水膨潤円板７と、ボルト８、ナット９により本発明のケーブル管引込み孔用止水装置を構成する。１枚の中央水膨潤円板７を中央に配置し、この中央水膨潤円板７を挟んで両側に内側介在ゴム円板５と内側介在ゴム円板６を配置する。この両側の各内側介在ゴム円板５、６の両側に、それぞれ、縁辺突出片付きゴム円板パッキン３と縁辺突出片付きゴム円板パッキン４を、そのゴム円板２０の内方の側面に突出する縁辺突出片２５がが内方の中央水膨潤円板７側に向かうように配置して、内側介在ゴム円板５、６の外周縁が縁辺突出片付きゴム円板パッキン３、４の外周縁２７における縁辺突出片２５の内側面に当接させる。この各内側介在ゴム円板５、６の両側にガラス繊維補強プラスチック製の扇形締付押え板１、２を配置して、各扇形締付押え板１、２のボルト挿通孔１３、各縁辺突出片付きゴム円板パッキン３、４のボルト挿通孔２４、各内側介在ゴム円板５、６のボルト挿通孔３４、中央水膨潤円板７のボルト挿通孔４４にボルト８を挿通しナット９を螺合して、ケーブル管引込み孔用止水装置を構成する。
【００１４】
前記のように構成したケーブル管引込み孔用止水装置を建造物のコンクリート壁を貫通するケーブル管引込み孔に装着するには、図２に１点鎖線で図示したケーブル引込み管Ａに、中央水膨潤円板７のケーブル引込み管挿通孔４１をその切り割り部４６を開いて嵌入させる（図２はケーブル引込み管Ａを１条のみ図示してあるが、他のケーブル引込み管挿通孔４２、４３についても同様である）。このときケーブル引込み管径に応じてケーブル引込み管挿通孔４１、４２、４３の周囲の同心円形切り裂き円溝４５を切り裂いて挿通孔４１、４２、４３の孔径をケーブル引込み管径に適合させる。また内側介在ゴム円板５、６もそのケーブル引込み管挿通孔３１、３２、３３をその切り割り間隙部３６を開いてケーブル引込み管Ａに嵌入させ、縁辺突出片付きゴム円板パッキン３、４もそのケーブル引込み管挿通孔２１、２２、２３をその切り割り部２６を開いてケーブル引込み管Ａに嵌入させ、扇形締付押え板１、２もその半円形切欠部１１をケーブル引込み管Ａの周囲に嵌めて取り付け、このケーブル引込み管止水装置を、図２に２点鎖線で図示した建造物壁のケーブル管引込み孔Ｂ内に差し込み、ボルト８、ナット９を螺締すれば、内側介在ゴム円板５、６の外周縁３５が縁辺突出片付きゴム円板パッキン３、４の縁辺突出片２５を半径方向外方に押圧してケーブル管引込み孔Ａの内周面に密着させるのでケーブル管引込み孔用止水装置が固定される。
【０００１５】
このケーブル管引込み孔に雨水等が侵入すると、中央水膨潤円板７が水を吸収して膨潤し、その体積増加により中央水膨潤円板７の外周縁４７がケーブル管引込み孔の内周面に強く押圧密着するので、ケーブル引込み管と引込み孔Ａとの間の間隙が水密に閉塞され雨水等の侵入が阻止される。
【０００１６】
ケーブル管引込み孔Ａ内に水がなくなり中央水膨潤円板７が萎縮してその外周縁４７のケーブル管引込み孔内周面に対する押圧力がなくなっても、縁辺突出片付きゴム円板パッキン３、４の縁辺突出片２５が引込み孔の内周面に押圧され固定されているので、ケーブル引込み管止水装置が引込み孔Ａ内の装着位置から外れるおそれはない。
【００１７】
【発明の効果】
前記のように本発明の建造物壁のケーブル管引込み孔用止水装置は、中央水膨潤円板の両側に、内側介在ゴム円板を配置し、その両側に縁辺突出片を突設した縁辺突出片付きゴム円板パッキンを配置して、縁辺突出板片の内側に内側介在ゴム円板の周縁を当接させ、この両縁辺突出片付きゴム円板パッキンの両側にガラス繊維補強プラスチック製の扇形締付押え板を配置して、ボルト、ナットで締付ける構成としたので、これを建造物のコンクリート壁を貫通するケーブル管の引込み孔内に差し込んでボルト、ナットを締め付けめことにより、縁辺突出片付きゴム円板パッキンの縁辺突出板片が引込み孔内周面に強く当接係合するので、引込み孔内に固定させて装着することができる。この引込み孔に雨水等が侵入すると、中央水膨潤円板が吸水膨潤してその外周縁がケーブル管引込み孔の内周面に密着するので、ケーブル管引込み孔とケーブル引込み管との間の間隙を水密に閉塞して雨水等の侵入を完全に阻止することができる。
【００１８】
ケーブル管引込み孔内に水がなくなり中央水膨潤円板の体積が萎縮してケーブル管引込み孔内周面に対する密着力がなくなっても、縁辺突出片付きゴム円板パッキンの縁辺突出板片がケーブル管引込み孔の内周面に押圧され固定されているので、ケーブル引込み管止水装置がその装着位置から外れるおそれはない。
【図面の簡単な説明】
【図１】本発明の１実施形態の端面図
【図２】本発明の１実施形態の長手方向断面図
【図３】本発明の扇形締付押え板の１実施形態の正面図
【図４】本発明の縁辺突出片付きゴム円板パッキンの１実施形態の正面図
【図５】本発明の内側介在ゴム円板の１実施形態の正面図
【図６】本発明の中央水膨潤円板の１実施形態の正面図
【図７】本発明の中央水膨潤円板の同心円形Ｖ字形凹溝を示す断面図
【符号の説明】
１、２：扇形締付押え板
３、４：縁辺突出片付きゴム円板パッキン
２０：縁辺突出片付きゴム円板パッキン３、４のゴム円板
２１、２２、２３：縁辺突出片付きゴム円板パッキン３、４のケーブル引込み管挿通孔
２５：縁辺突出片付きゴム円板パッキン３、４の縁辺突出片
２７：ゴム円板２０の円板外周縁
２９：ケーブル引込み管挿通孔２１、２２、２３の縁辺
５、６：内側介在ゴム円板
３５：内側介在ゴム円板５、６の外周縁
７：中央水膨潤円板
１３、２４、３４、４４：ボルト挿通孔
８：ボルト
９：ナット
【図１】
0003579777.tif 000002
【図２】
0003579777.tif 000003
【図３】
0003579777.tif 000004
【図４】
0003579777.tif 000005
【図５】
0003579777.tif 000006
【図６】
0003579777.tif 000007
【図７】
0003579777.tif 000008